【手続補正書】
【提出日】平成24年6月14日(2012.6.14)
【手続補正１】
【補正対象書類名】明細書
【補正対象項目名】０００７
【補正方法】変更
【補正の内容】
【０００７】
上記目的達成のため、本発明による画像処理装置は、被写体を所定の時間間隔で撮影する撮影手段と、前記撮影手段による撮影中において、逐次撮影されていく画像に基づいて、前記被写体の顔の表情が笑顔になったタイミングを検出する笑顔検出手段と、前記笑顔検出手段により検出されたタイミングに基づいて、前記撮影手段により撮影中の画像の中から、前記被写体の顔の表情が笑顔になったときの画像である笑顔画像と、前記被写体の顔の表情が笑顔になる前または後の画像である非笑顔画像を特定し、この特定された笑顔画像と非笑顔画像とを含む複数の画像を関連付けて記録する記録手段と、前記記録手段により記録された、前記笑顔画像と非笑顔画像とを含む複数の画像に基づいて、前記被写体の顔の表情が非笑顔の状態から笑顔の状態へと連続的に変化するように画像再生する再生手段とを備えることを特徴とする。
また、好ましい態様として更に、前記記録手段は、前記笑顔検出手段による検出タイミングの画像を前記笑顔画像として特定するとともに、この笑顔画像から前または後へと順番に非笑顔の状態となる画像の位置を検索し、この検索された位置の画像を前記非笑顔画像として特定することを特徴とする。
また、好ましい態様として更に、前記記録手段は、前記特定された笑顔画像から後へと順番に非笑顔の状態となる画像の位置を検索して非笑顔画像を特定し、
前記再生手段は、前記笑顔画像と非笑顔画像が撮影された時間的な順番を逆転して再生することで、前記被写体の顔の表情が非笑顔の状態から笑顔の状態へと連続的に変化するように画像再生することを特徴とする。
また、好ましい態様として更に、前記撮影手段により所定の時間間隔で撮影された画像を、所定枚数または所定時間分、循環的に保持することにより、前記被写体が所定の状態になる前の複数の画像を保持する保持手段を更に備え、
前記記録手段は更に、前記保持手段に保持されている画像の中から、前記笑顔画像を特定するとともに、この特定された笑顔画像から前へと順番に非笑顔の状態となる画像の位置を検索して非笑顔画像を特定することを可能にしたことを特徴とする。
また、好ましい態様として更に、前記再生手段は、前記記録手段により記録された、前記笑顔画像と非笑顔画像に基づいて、前記被写体の顔の表情が、該笑顔画像における顔の表情と該非笑顔画像における顔の表情の中間の表情となる画像を補間して生成することで、前記被写体の顔の表情が非笑顔状態から笑顔状態へと連続的に変化するように画像再生することを特徴とする。
【手続補正２】
【補正対象書類名】明細書
【補正対象項目名】０００８
【補正方法】変更
【補正の内容】
【０００８】
また、好ましい態様として更に、前記記録手段は、前記被写体が所定の状態になったときの画像と、前記所定の状態になる前または後の複数の画像とを含む画像グループを、前記被写体が所定の状態になったときの画像を識別可能なファイル形式で記録することを特徴とする。
【手続補正３】
【補正対象書類名】明細書
【補正対象項目名】０００９
【補正方法】変更
【補正の内容】
【０００９】
また、好ましい態様として更に、前記記録手段は、前記被写体が所定の状態になったときの画像と、前記所定の状態になる前または後の複数の画像とを含む画像グループを、それぞれの画像の時系列関係が特定可能なファイル形式で記録することを特徴とする。
【手続補正４】
【補正対象書類名】明細書
【補正対象項目名】００１０
【補正方法】変更
【補正の内容】
【００１０】
また、好ましい態様として更に、前記再生手段は、前記記録手段により記録された画像グループ内の複数画像を、前記ファイル形式により特定される時系列関係の順に再生することを特徴とする。
【手続補正５】
【補正対象書類名】明細書
【補正対象項目名】００１１
【補正方法】変更
【補正の内容】
【００１１】
また、好ましい態様として更に、前記記録手段により記録された複数の画像グループについて、前記ファイル形式により特定される前記被写体が所定の状態になったときの画像に基づく参照画像を生成して一覧表示する表示手段と、前記一覧表示された参照画像から前記再生手段により再生させる一連の画像を指定する指定手段とを更に備え、前記再生手段は、前記指定手段により指定された参照画像に対応する画像グループを対象として、該画像グループ内の前記被写体が所定の状態になったときの画像と、前記所定の状態になる前または後の複数の画像とに基づいて、前記被写体が非所定状態から前記所定状態へと連続的に変化するように画像再生することを特徴とする。
【手続補正６】
【補正対象書類名】明細書
【補正対象項目名】００１２
【補正方法】変更
【補正の内容】
【００１２】
また、好ましい態様として更に、前記撮影手段により所定の時間間隔で撮影された画像を、所定枚数または所定時間分、循環的に保持することにより、前記被写体が所定の状態になる前の複数の画像を保持する保持手段を更に備え、前記記録手段は、前記所定状態検出手段により検出された前記被写体が所定の状態になったときの画像と、前記保持手段に保持されている前記所定の状態になる前の複数の画像とを関連付けて記録し、前記再生手段は、前記記録手段により記録された、前記被写体が所定の状態になったときの画像と、前記所定の状態になる前の複数の画像とに基づいて、前記被写体が非所定状態から前記所定状態へと連続的に変化するように画像再生することを特徴とする。
【手続補正７】
【補正対象書類名】明細書
【補正対象項目名】００１３
【補正方法】変更
【補正の内容】
【００１３】
また、好ましい態様として更に、前記所定状態検出手段により、前記被写体が所定の状態になったことが検出されると、前記被写体が所定の状態になったときの画像と、前記被写体が所定の状態になった後の複数の画像とを保持する保持手段を更に具備し、前記記録手段は、前記所定状態検出手段により検出された前記被写体が所定の状態になったときの画像と、前記保持手段に保持されている前記所定の状態になった後の複数の画像とを関連付けて記録し、前記再生手段は、前記記録手段により記録された、前記被写体が所定の状態になったときの画像と、前記所定の状態になった後の複数の画像とに基づいて、前記被写体が非所定状態から前記所定状態へと連続的に変化するような画像再生を行うことを特徴とする。
【手続補正８】
【補正対象書類名】明細書
【補正対象項目名】００１４
【補正方法】変更
【補正の内容】
【００１４】
また、好ましい態様として更に、前記被写体が所定の状態になったときの画像と、前記所定の状態になった後の複数の画像とに基づいて、各画像の中間状態の画像を生成する中間画像生成手段を更に備え、前記記録手段は、前記被写体が所定の状態になったときの画像と、前記保持手段に保持されている前記所定の状態になった後の複数の画像と、前記中間画像生成手段により生成された前記中間状態の画像とを、時系列関係が特定可能なファイル形式で記録することを特徴とする。
【手続補正９】
【補正対象書類名】明細書
【補正対象項目名】００１５
【補正方法】変更
【補正の内容】
【００１５】
また、上記目的達成のため、本発明による画像処理方法は、被写体を所定の時間間隔で撮影するステップと、前記撮影中において、逐次撮影されていく画像に基づいて、前記被写体の顔の表情が笑顔になったタイミングを検出するステップと、前記検出されたタイミングに基づいて、前記撮影手段により撮影中の画像の中から、前記被写体の顔の表情が笑顔になったときの画像である笑顔画像と、前記被写体の顔の表情が笑顔になる前または後の画像である非笑顔画像を特定し、この特定された笑顔画像と非笑顔画像とを含む複数の画像を関連付けて記録するステップと、前記記録された前記笑顔画像と非笑顔画像とを含む複数の画像に基づいて、前記笑顔画像と非笑顔画像とを含む複数の画像に基づいて、前記被写体の顔の表情が非笑顔の状態から笑顔の状態へと連続的に変化するように画像再生するステップと
を含むことを特徴とする。
【手続補正１０】
【補正対象書類名】明細書
【補正対象項目名】００１６
【補正方法】変更
【補正の内容】
【００１６】
また、上記目的達成のため、本発明によるプログラムは、画像処理装置のコンピュータに、被写体を所定の時間間隔で撮影する撮影機能、前記撮影機能による撮影中において、逐次撮影されていく画像に基づいて、前記被写体の顔の表情が笑顔になったタイミングを検出する笑顔検出機能、前記笑顔検出機能により検出されたタイミングに基づいて、前記撮影機能により撮影中の画像の中から、前記被写体の顔の表情が笑顔になったときの画像である笑顔画像と、前記被写体の顔の表情が笑顔になる前または後の画像である非笑顔画像を特定し、この特定された笑顔画像と非笑顔画像とを含む複数の画像を関連付けて記録する記録機能、前記記録機能により記録された、前記笑顔画像と非笑顔画像とを含む複数の画像に基づいて、前記笑顔画像と非笑顔画像とを含む複数の画像に基づいて、前記被写体の顔の表情が非笑顔の状態から笑顔の状態へと連続的に変化するように画像再生する再生機能を実行させることを特徴とする。
【手続補正１１】
【補正対象書類名】特許請求の範囲
【補正対象項目名】全文
【補正方法】変更
【補正の内容】
【特許請求の範囲】
【請求項１】
被写体を所定の時間間隔で撮影する撮影手段と、
前記撮影手段による撮影中において、逐次撮影されていく画像に基づいて、前記被写体の顔の表情が笑顔になったタイミングを検出する笑顔検出手段と、
前記笑顔検出手段により検出されたタイミングに基づいて、前記撮影手段により撮影中の画像の中から、前記被写体の顔の表情が笑顔になったときの画像である笑顔画像と、前記被写体の顔の表情が笑顔になる前または後の画像である非笑顔画像を特定し、この特定された笑顔画像と非笑顔画像とを含む複数の画像を関連付けて記録する記録手段と、
前記記録手段により記録された、前記笑顔画像と非笑顔画像とを含む複数の画像に基づいて、前記被写体の顔の表情が非笑顔の状態から笑顔の状態へと連続的に変化するように画像再生する再生手段と
を備えることを特徴とする画像処理装置。
【請求項２】
前記記録手段は、前記笑顔検出手段による検出タイミングの画像を前記笑顔画像として特定するとともに、この笑顔画像から前または後へと順番に非笑顔の状態となる画像の位置を検索し、この検索された位置の画像を前記非笑顔画像として特定することを特徴とする請求項１に記載の画像処理装置。
【請求項３】
前記記録手段は、前記特定された笑顔画像から後へと順番に非笑顔の状態となる画像の位置を検索して非笑顔画像を特定し、
前記再生手段は、前記笑顔画像と非笑顔画像が撮影された時間的な順番を逆転して再生することで、前記被写体の顔の表情が非笑顔の状態から笑顔の状態へと連続的に変化するように画像再生することを特徴とする請求項２に記載の画像処理装置。
【請求項４】
前記撮影手段により所定の時間間隔で撮影された画像を、所定枚数または所定時間分、循環的に保持することにより、前記被写体が所定の状態になる前の複数の画像を保持する保持手段を更に備え、
前記記録手段は更に、前記保持手段に保持されている画像の中から、前記笑顔画像を特定するとともに、この特定された笑顔画像から前へと順番に非笑顔の状態となる画像の位置を検索して非笑顔画像を特定することを可能にしたことを特徴とする請求項２または３に記載の画像処理装置。
【請求項５】
前記再生手段は、前記記録手段により記録された、前記笑顔画像と非笑顔画像に基づいて、前記被写体の顔の表情が、該笑顔画像における顔の表情と該非笑顔画像における顔の表情の中間の表情となる画像を補間して生成することで、前記被写体の顔の表情が非笑顔状態から笑顔状態へと連続的に変化するように画像再生することを特徴とする請求項１乃至４のいずれかに記載の画像処理装置。
【請求項６】
前記記録手段は、
前記被写体が所定の状態になったときの画像と、前記所定の状態になる前または後の複数の画像とを含む画像グループを、前記被写体が所定の状態になったときの画像を識別可能なファイル形式で記録することを特徴とする請求項１乃至５のいずれかに記載の画像処理装置。
【請求項７】
前記記録手段は、
前記被写体が所定の状態になったときの画像と、前記所定の状態になる前または後の複数の画像とを含む画像グループを、それぞれの画像の時系列関係が特定可能なファイル形式で記録することを特徴とする請求項１乃至６のいずれかに記載の画像処理装置。
【請求項８】
前記再生手段は、
前記記録手段により記録された画像グループ内の複数画像を、前記ファイル形式により特定される時系列関係の順に再生することを特徴とする請求項１乃至７のいずれかに記載の画像処理装置。
【請求項９】
前記記録手段により記録された複数の画像グループについて、前記ファイル形式により特定される前記被写体が所定の状態になったときの画像に基づく参照画像を生成して一覧表示する表示手段と、
前記一覧表示された参照画像から前記再生手段により再生させる一連の画像を指定する指定手段と
を更に備え、
前記再生手段は、
前記指定手段により指定された参照画像に対応する画像グループを対象として、該画像グループ内の前記被写体が所定の状態になったときの画像と、前記所定の状態になる前または後の複数の画像とに基づいて、前記被写体が非所定状態から前記所定状態へと連続的に変化するように画像再生することを特徴とする請求項６乃至８のいずれかに記載の画像処理装置。
【請求項１０】
前記撮影手段により所定の時間間隔で撮影された画像を、所定枚数または所定時間分、循環的に保持することにより、前記被写体が所定の状態になる前の複数の画像を保持する保持手段を更に備え、
前記記録手段は、
前記所定状態検出手段により検出された前記被写体が所定の状態になったときの画像と、前記保持手段に保持されている前記所定の状態になる前の複数の画像とを関連付けて記録し、
前記再生手段は、
前記記録手段により記録された、前記被写体が所定の状態になったときの画像と、前記所定の状態になる前の複数の画像とに基づいて、前記被写体が非所定状態から前記所定状態へと連続的に変化するように画像再生する
ことを特徴とする請求項１乃至９のいずれかに記載の画像処理装置。
【請求項１１】
前記所定状態検出手段により、前記被写体が所定の状態になったことが検出されると、前記被写体が所定の状態になったときの画像と、前記被写体が所定の状態になった後の複数の画像とを保持する保持手段を更に具備し、
前記記録手段は、
前記所定状態検出手段により検出された前記被写体が所定の状態になったときの画像と、前記保持手段に保持されている前記所定の状態になった後の複数の画像とを関連付けて記録し、
前記再生手段は、
前記記録手段により記録された、前記被写体が所定の状態になったときの画像と、前記所定の状態になった後の複数の画像とに基づいて、前記被写体が非所定状態から前記所定状態へと連続的に変化するような画像再生を行う
ことを特徴とする請求項１乃至９のいずれかに記載の画像処理装置。
【請求項１２】
前記被写体が所定の状態になったときの画像と、前記所定の状態になった後の複数の画像とに基づいて、各画像の中間状態の画像を生成する中間画像生成手段を更に備え、
前記記録手段は、
前記被写体が所定の状態になったときの画像と、前記保持手段に保持されている前記所定の状態になった後の複数の画像と、前記中間画像生成手段により生成された前記中間状態の画像とを、時系列関係が特定可能なファイル形式で記録する
ことを特徴とする請求項１１に記載の画像処理装置。
【請求項１３】
被写体を所定の時間間隔で撮影するステップと、
前記撮影中において、逐次撮影されていく画像に基づいて、前記被写体の顔の表情が笑顔になったタイミングを検出するステップと、
前記検出されたタイミングに基づいて、前記撮影手段により撮影中の画像の中から、前記被写体の顔の表情が笑顔になったときの画像である笑顔画像と、前記被写体の顔の表情が笑顔になる前または後の画像である非笑顔画像を特定し、この特定された笑顔画像と非笑顔画像とを含む複数の画像を関連付けて記録するステップと、
前記記録された前記笑顔画像と非笑顔画像とを含む複数の画像に基づいて、前記笑顔画像と非笑顔画像とを含む複数の画像に基づいて、前記被写体の顔の表情が非笑顔の状態から笑顔の状態へと連続的に変化するように画像再生するステップと
を含むことを特徴とする画像処理方法。
【請求項１４】
画像処理装置のコンピュータに、
被写体を所定の時間間隔で撮影する撮影機能、
前記撮影機能による撮影中において、逐次撮影されていく画像に基づいて、前記被写体の顔の表情が笑顔になったタイミングを検出する笑顔検出機能、
前記笑顔検出機能により検出されたタイミングに基づいて、前記撮影機能により撮影中の画像の中から、前記被写体の顔の表情が笑顔になったときの画像である笑顔画像と、前記被写体の顔の表情が笑顔になる前または後の画像である非笑顔画像を特定し、この特定された笑顔画像と非笑顔画像とを含む複数の画像を関連付けて記録する記録機能、
前記記録機能により記録された、前記笑顔画像と非笑顔画像とを含む複数の画像に基づいて、前記笑顔画像と非笑顔画像とを含む複数の画像に基づいて、前記被写体の顔の表情が非笑顔の状態から笑顔の状態へと連続的に変化するように画像再生する再生機能
を実行させることを特徴とするプログラム。